(57)【要約】【課題】  設計工程を簡素化し、生産性を向上させることが可能な回転検出装置を提供する。【解決手段】  磁石１１と磁気検出手段１２とを備えた中ケース３と、中ケース３を収納する収納空間４３を有する外ケース４とを備えた回転検出装置１００において、中ケース３を外ケース４内に圧入保持する圧入リブ３３を中ケース３に設け、収納空間４３が、圧入リブ３３よりも外ケース４の底部４２側に配置される磁石１１及び磁気検出手段１２を収納する中空部４３ａと、圧入リブ３３よりも開口部４１側に設けられ圧入リブ３３によって充填部材５が充填される充填部４３ｂとを備え、中空部４３ａが、圧入リブ３３より中空部４３ａ側に配置される封止部材６によって中空部４３ａを密閉したものである。【選択図】  図３
2015125117.tif 000002
【特許請求の範囲】
【請求項１】
磁石と磁気検出手段とを備えた中ケースと、前記中ケースを収納する収納空間を有する外ケースとを備えた回転検出装置において、前記中ケースを前記外ケース内に圧入保持する圧入リブを前記中ケースに設け、前記収納空間が、前記圧入リブよりも前記外ケースの底部側に配置される前記磁石及び前記磁気検出手段を収納する中空部と、前記圧入リブよりも開口部側に設けられ前記圧入リブによって充填部材が充填される充填部とを備え、前記中空部が、前記圧入リブより前記中空部側に配置される封止部材によって前記中空部を密閉したことを特徴とする回転検出装置。
【請求項２】
前記中ケースは、前記外ケースの内周方向に延びる少なくとも一対のアーム部を備え、前記アーム部は、その一部分が前記外ケースの開口部側に向かうと共に前記外ケースの開口部よりも低い位置に位置する先端部を備え、前記外ケースは、その開口部に前記アーム部の先端部を押さえるように熱加締めされる加締め部を備えたことを特徴とする請求項１に記載の回転検出装置。
【請求項３】
前記アーム部は、前記充填部材を前記封止部材を備えた部分とは離間して形成した離間部を設けたことを特徴とする請求項１に記載の回転検出装置。
【請求項４】
前記外ケースは、その外周部に凹部を備え、この凹部内に気密を確保する他の封止部材を備え、前記他の封止部材の配設位置は、前記中ケースに配設される前記封止部材の位置と一致あるいは略一致していることを特徴とする請求項１に記載の回転検出装置。
【発明の詳細な説明】
【技術分野】
【０００１】
本発明は、測定対象の回転を検出する回転検出装置に関する。
【背景技術】
【０００２】
従来の回転検出装置は、例えば、特許文献１に開示されるものがある。この回転検出装置は、磁石と磁気検出手段とを備えた中ケースと、中ケースを収納する収納空間を備えた外ケースと、収納空間に配設されるエポキシ等の充填部材とを備えた回転検出装置であった。
【先行技術文献】
【特許文献】
【０００３】
【特許文献１】特開２００８−１６４４３９号公報
【発明の概要】
【発明が解決しようとする課題】
【０００４】
しかしながら、特許文献１に記載の回転検出装置は、外ケース内に中ケースを収納し、その後に外ケース内に充填部材を充填する構造であるが、充填部材が熱硬化性樹脂であるため、硬化時に磁気検出手段（ホールＩＣ）に応力が加わったり、また、外ケース内の充填部材で満たされない空所の熱膨張差による磁気検出手段の感度低下が生じるおそれがある為、外ケースの内部構造や、中ケースの構造を細かく配慮しなければならず、設計工程が複雑化する、といった問題点を有している。
【０００５】
そこで本発明は、前記問題点を解消し、設計工程を簡素化し、生産性を向上させることが可能な回転検出装置を提供することを目的とするものである。
【課題を解決するための手段】
【０００６】
本発明の回転検出装置は、磁石と磁気検出手段とを備えた中ケースと、前記中ケースを収納する収納空間を有する外ケースとを備えた回転検出装置において、前記中ケースを前記外ケース内に圧入保持する圧入リブを前記中ケースに設け、前記収納空間が、前記圧入リブよりも前記外ケースの底部側に配置される前記磁石及び前記磁気検出手段を収納する中空部と、前記圧入リブよりも開口部側に設けられ前記圧入リブによって充填部材が充填される充填部とを備え、前記中空部が、前記圧入リブより前記中空部側に配置される封止部材によって前記中空部を密閉したものである。
【発明の効果】
【０００７】
以上の構成によって、本発明は、所期の目的を達成することができ、設計工程を簡素化し、生産性を向上させることが可能な回転検出装置を提供することができる。
【図面の簡単な説明】
【０００８】
【図１】本発明の第１実施形態の上面図。
【図２】同実施形態の側面図。
【図３】図１中III−III線の断面図。
【図４】同実施形態の斜視図。
【図５】同実施形態の斜視断面図。
【図６】同実施形態の要部拡大断面図。
【発明を実施するための形態】
【０００９】
以下、本発明の実施形態である回転検出装置１００について添付図面を用いて説明する。なお、図４、図５では、充填部材５は、理解を容易にするために図示していない。
【００１０】
本実施形態の回転検出装置１００は、磁気ヘッド１と、回路基板２と、中ケース３と、外ケース４と、充填部材５と、封止部材６と、から主に構成されている。
【００１１】
磁気ヘッド１は、磁石１１と、磁気検出手段１２とから構成されるものである。磁石１１は、円柱形状をなしている。磁気検出手段１２は、合成樹脂からなるハウジング内にホールＩＣや磁気抵抗素子（ＭＲ素子）等を内蔵したものであり、磁石１１が発する磁気の変化を検出するもので、磁石１１と接するように配設される。
【００１２】
回路基板２は、ガラス布基材エポキシ樹脂やセラミック等の絶縁基板に所定の配線パターンが形成されてなる硬質回路基板である。なお、硬質の回路基板の他に、可撓性材料に所定の配線パターンが形成されてなるフレキシブル回路基板（ＦＰＣ）が適用できる。回路基板２は、磁気検出手段１２へのノイズ吸収用コンデンサや信号増幅回路等の各種電子部品（図示しない）が実装されている。回路基板２の一端側には、磁気検出手段１２の略Ｌ字状に折り曲げ形成されたリード１２ａが、半田等を介して電気的に接続され、また、他端側には、後述するリード端子７が半田等を介して電気的に接続されている。従って、磁気検出手段１２により検出された検出信号は、回路基板２からリード端子７に伝わり外部に取り出されることになる。
【００１３】
中ケース３は、ＳＰＳ、ＰＢＴ及びＰＰＳ等の合成樹脂材料が適用でき、図３で示すように、ヘッド部３１と、胴部３２とを一体に備えている。
【００１４】
ヘッド部３１には、磁石１１と磁気検出手段１２とが中ケース３の先端面側に設けられ、ヘッド部３１と胴部３２との一部に回路基板２を配設するための載置部３１ｃが設けられている。
【００１５】
中ケース３の主に胴部３２には、導電性材料から形成されるリード端子７がインサート成形されており、中ケース３の一端にはコネクタ部８が一体に設けられている。リード端子７は、磁気検出手段１２への電力供給用及び磁気検出手段１２からの信号出力用に複数設けられている。そして、リード端子７は、一端がコネクタ部８において外部に突出し、他端が回路基板２と電気的に接続できるように引き出されている。コネクタ部８は、各リード端子７を外部機器と電気的に接続させ、前記外部機器との嵌合方向を後述する外ケース４の収納空間の開口方向と一致している。
【００１６】
中ケース３には、圧入リブ３３が胴部３２の外周面に全周に渡り形成され、中ケース３を外ケース４内に圧入保持する。
【００１７】
中ケース３には、封止部材６を収納する凹部３６を備えている。この凹部３６は、中ケース３の外周面に全周に渡り形成されている。封止部材６は、ゴムなど弾性部材からなり、例えば、Ｏリングなどである。この封止部材６は、後述する中空部４３ａの気密を確保するものである。
【００１８】
外ケース４は、中ケース３と同様な合成樹脂材料を適用することができ、長手方向の断面形状が略コの字状の有底状のコップ形状であり、一端に開口部４１を有し、他方に底部４２を有しており、磁気ヘッド１および回路基板２を収納する収納空間４３を構成する。
【００１９】
収納空間４３は、圧入リブ３３よりも外ケース４の底部４２側に配置される磁石１１、及び磁気検出手段１２を収納する中空部４３ａと、圧入リブ３３よりも開口部４１側に設けられ圧入リブ３３によって充填部材５の中空部４３ａへの侵入を阻止されて成る充填部４３ｂとを備え、中空部４３ａは、圧入リブ３３よりも中空部４３ａ側に配置される封止部材６によって中空部４３ａの気密性を確保している。なお、充填部材５の浸入を圧入リブ３３で食い止めることで、充填部材５が封止部材６に触れることがなく、封止部材６の密閉性を確保することができる。
【００２０】
充填部材５は、やや流動性のあるエポキシ樹脂やシリコーン樹脂が適用でき、中ケース３に備えられた圧入リブ３３が外ケース４と接した位置よりも開口部４１側に設けられ、圧入リブ３３によって充填部材５の中空部４３ａへの侵入を阻止されて成る充填部４３ｂに充填される。
【００２１】
充填部４３ｂに充填部材５を満たすことによって、従来の様に磁気ヘッド１を収納した収納空間４３内を充填部材５によって満たすことがなく、磁気ヘッド１を収納していない充填部４３ｂのみを充填部材５で満たす構造を採用することができる為、複雑な中ケース３、外ケース４の構造を不要とし、また、充填部材５の充填量も機種によっては、半分以下に削減できることから設計工程を簡素化し、生産性を向上させることができる。
【００２２】
なお、充填部材５の充填部４３ｂへの注入工程において、外ケース４の開口部４１から充填部材５の注入装置のノズルを収納空間４３に対して真上から挿入して、充填部材５を充填部４３ｂ内へ充填する。
【００２３】
また、中ケース３は、一対のアーム部３４を備えている。このアーム部３４は、先端部３４ａと基部３４ｂとで構成されている。アーム部３４の基部３４ｂは、外ケース４方向に延びている。本実施形態では、基部３４ｂは、中ケース３を中心とした点対称の位置に延びている。すなわち、基部３４ｂは、互いに延びる方向が１８０度異なっている。また、先端部３４ａは、基部３４ｂが外ケース４の内面に当接した位置から開口部４１側に向かって延びている。先端部３４ａの端部は、外ケース４の開口部４１の端部よりも低い位置となっている。
【００２４】
外ケース４は、開口部４１の端部に、熱加締めによって、アーム部３４の先端部３４ａと当接する加締め部４４を備えている。充填部４３ｂが、充填部材５で充填されることによって、中ケース３を外ケース４に確実に保持することができる為、耐振性を向上させることができる。
【００２５】
また、アーム部３４の先端部３４ａを加締め部４４で受けることで、中ケース３を外ケース４に組み付けて、加締め部４４で先端部３４ａを保持することで、封止部材６の断髪力による中ケース３が外ケース４から抜け出ることを防止することができる。
【００２６】
また、アーム部３４は、圧入リブ３３を設けた胴部３２とは離間しており、このアーム部３４と胴部３２との間に離間部３５を備えている。この離間部３５が、充填部材５を注入した際に、充填部材５が流れる流路の機能を果たすこととなる。よって、充填部材５を外ケース４の開口部４１の１箇所から注入した際に、充填部材５が離間部３５を流れて、充填部４３ｂを満たすことができ、注入される充填部材５の充填が、アーム部３４によって妨げられないこととなる。流路となる離間部３５を設けたことによって、充填部材５の注入を１箇所で行うことが可能となり、生産性を向上させることができる。
【００２７】
また、外ケース４は、その外周部に凹部４５を備え、この凹部４５内に実機と外ケース４との気密を確保する他の封止部材９を備えている。他の封止部材９も封止部材６と同様にゴムなど弾性部材からなり、例えば、Ｏリングなどである。他の封止部材９の配設位置は、中ケース３に配設される封止部材６の位置とほぼ一致していることによって、外ケース４の凹部４５によって形成される薄肉部４６が他の封止部材９によって中ケース３方向に変形し実機と外ケース４との気密性が損なわれるおそれがあるが、他の封止部材９の位置を封止部材６の位置に合わせることによって、封止部材６の反力により外ケース４の変形を抑え、外ケース４と実機との気密性を保持できる。
【００２８】
以上、本発明では、磁石１１と磁気検出手段１２とを備えた中ケース３と、中ケース３を収納する収納空間４３を有する外ケース４とを備えた回転検出装置１００において、中ケース３を外ケース４内に圧入保持する圧入リブ３３を中ケース３に設け、収納空間４３が、圧入リブ３３よりも外ケース４の底部４２側に配置される磁石１１及び磁気検出手段１２を収納する中空部４３ａと、圧入リブ３３よりも開口部４１側に設けられ圧入リブ３３によって充填部材５が充填される充填部４３ｂとを備え、中空部４３ａが、圧入リブ３３より中空部４３ａ側に配置される封止部材６によって中空部４３ａを密閉したことによって、従来のように、磁気検出手段を収納した収納空間を充填部材によって満たすことがなく、磁気検出手段１２を収納していない充填部４３ｂのみを充填部材５で満たす構造を採用することができ、中ケース３、外ケース４の複雑な構造を不要とし、また、充填部材５の充填量も削減できることから設計工程を簡素化し、生産性を向上させることができる。
【００２９】
また、中ケース３は、外ケース４の内周方向に延びる少なくとも一対のアーム部３４を備え、アーム部３４は、その一部分が外ケース４の開口部４１側に向かうと共に外ケース４の開口部４１よりも低い位置に位置する先端部３４ａを備え、外ケース４は、その開口部にアーム部３４の先端部３４ａを押さえるように熱加締めされる加締め部４４を備えたことによって、中ケース３を外ケース４に確実に保持することができ、耐振性を向上させることができる。
【００３０】
また、アーム部３４は、充填部材５を封止部材６を備えた部分とは離間して形成した離間部３５を設けたことによって、アーム部３４によって充填部材５の注入が妨げられず、１箇所での充填部材５の注入を可能とする為、生産性を向上させることができる。
【００３１】
また、外ケース４は、その外周部に凹部４５を備え、この凹部４５内に気密を確保する他の封止部材９を備え、他の封止部材９の配設位置は、中ケース３に配設される封止部材６の位置と一致あるいは略一致していることによって、外ケース４の凹部４５によって形成される薄肉部４６が、封止部材６の反力によって外ケース４の変形を抑制できる為、外ケース４と実機との気密性を保持できる。
【産業上の利用可能性】
【００３２】
本発明は、測定対象の回転を検出する回転検出装置に利用可能である。
【符号の説明】
【００３３】
１００        回転検出装置
１１        磁石
１２        磁気検出手段
３        中ケース
３３        圧入リブ
３４        アーム部
３４ａ      先端部
３５        離間部
４        外ケース
４１        開口部
４２        底部
４３        収納空間
４３ａ      中空部
４３ｂ      充填部
４４        加締め部
４５        凹部
５        充填部材
６        封止部材
９        他の封止部材
【図１】
2015125117.tif 000003
【図２】
2015125117.tif 000004
【図３】
2015125117.tif 000005
【図４】
2015125117.tif 000006
【図５】
2015125117.tif 000007
【図６】
2015125117.tif 000008